(57)【要約】      （修正有）【課題】四面を挟み込む万力台を提供する。【解決手段】四面を挟み込む万力台は、長形状のベース１、四つの固定口金２、四つの可動口金５を備え、ベース両端は、工作機械の割出し台に挟んでベースを３６０度回転させ、加工する為の任意角度への固定が設定可能であり、ベースの四平面の中央縦方向には四つのＴ形溝３を設置し、四つのＴ形溝は四つのＴ形体４を滑合させ、Ｔ形体上にはボルトを螺着するネジ孔を設け、可動口金をベース上に螺着でき、ベースの上、下、左、右の四つの固定口金と四つの可動口金の設計によって、一回で四つの対象物を挟み込むことが可能とする。【選択図】図２
0003150882.tif 000002
【実用新案登録請求の範囲】
【請求項１】
四面を挟み込む万力台は、長形状のベース、四つの固定口金、四つの可動口金を備え、前記の各可動口金は、定位体、締付体、楔形体により構成され、ベース両端は、工作機械の割出し台に挟み込まれて、ベースを３６０度回転させ、ベースの四平面上には四つの固定口金を螺設、ベースの四平面の中央縦方向には四つのＴ形溝を設置し、四つのＴ形溝は四つのＴ形体を滑合させ、四つのＴ形体上にはボルトを螺着するネジ孔を設け、定位体上にはハトメを設けてボルトを嵌合させてＴ形体のネジ孔中に螺着、ベースのＴ形溝両側に横方向の噛合部を等間隔に配置し、定位体底面においてベースの噛合部に対応する位置にも噛合部を設ける故、定位体はベース上に迅速に無段階定位状態で螺合され、ベース四平面の四つの固定口金と四つの可動口金によって四つの対象物を挟み込むことにより、工作機械は順序に基づき、四つの対象物の加工を可能とすることを特徴とする四面を挟み込む万力台。
【請求項２】
前記ベースの各平面上には、二つもしくは二つ以上の可動口金を装着することによって、挟み込む対象物の数量を増加することを特徴とする請求項１記載の四面を挟み込む万力台。
【考案の詳細な説明】
【技術分野】
【０００１】
本考案は、四面を挟み込む万力台を提供するもので、万力のベース台の四平面において一回で複数の対象物を挟み込む技術に応用し、作業効率を高めるものである。
【背景技術】
【０００２】
一般的な機械による加工は、工作機械上に万力を装着し、万力の可動口金、固定口金を使って、対象物を挟み込み固定し、工作機械で対象物に対して切削加工を行うのであるが、伝統的な万力は一回で一つの対象物しか挟み込めず、待機状態において繰り返し可動口金を弛めたり締めたりしてやっと対象物の加工を完了させた後、更に新しい対象物を装着して加工を進める。これらの万力操作では、加工効率を効果的に向上させることはできない。
【０００３】
そこで、本考案者は、２００６年９月１８日、特許文献１の「並列式万力の挟み込み構造」を出願し、許可を得ている。それは、伝統的な万力が一回で一つの対象物しか挟み込めない等の問題に対して研究改良を加えた考案である。
【０００４】
参照する図１、図２に、特許文献１の第三実施例のベースと使用図を示す。その構造は主に、ベース１の一平面上に固定口金２を螺設、ベース１の一平面の中央縦方向にＴ形溝３を配置し、Ｔ形溝３には一つもしくは一つ以上のＴ形体４を滑合し、Ｔ形体４には同じ数の可動口金５を螺設する。複数の可動口金５を設計している為、一回で複数の対象物を挟み込むことが可能である。
【先行技術文献】
【特許文献】
【０００５】
【特許文献１】中華民国出願第０９５２１６６０３号、証書第M３０７４８３号
【考案の概要】
【考案が解決しようとする課題】
【０００６】
しかし、上述の「並列式万力の挟み込み構造」の実用新案は実際に操作応用する場合、一回で多数の対象物を挟み込むことはできるが、ベースの一面でしか挟み込むことができず、一回で挟み込める対象物の数量は、やはり理想的でなく、加工効率にも限界があり、克服と解決が待たれる問題と欠点が依然として存在する。
【課題を解決するための手段】
【０００７】
前述の課題に鑑み、本考案者は、積極的な研究開発、創造改良の精神に基づき、ついに本考案を完成させ、四面を挟み込む万力台の提供に至った。
【０００８】
本考案が課題を解決するために応用する手段及び先行技術の効果は次の通りである。即ち、万力台のベース両端は、工作機械の割出し台に挟み込まれて、ベースを３６０度回転させ、加工する為の任意角度に自由に設定することが可能であり、ベースの四平面上には四つの固定口金を螺設、ベースの四平面の中央縦方向には四つのＴ形溝を設置し、四つのＴ形溝において四つのＴ形体を滑合させ、四つのＴ形体には四つの可動口金を螺着する。四つの固定口金と四つの可動口金の設計によって、ベースの四平面上において一回で四つの対象物を挟み込むことが可能となり、第一平面上の対象物の加工が完成した後、ベースを回転するだけで、続けて第二平面上の対象物を加工し、順序に基づいて第三、第四平面上の対象物の加工を完了させる。
【考案の効果】
【０００９】
本考案の四面を挟み込む万力台は、挟み込む対象物の数量を四倍にまで増加し、加工効率を効果的に向上させ、効果を増強して本考案の目的を達成させる。
【図面の簡単な説明】
【００１０】
【図１】特許文献１の第三実施例に関するベース図である。
【図２】特許文献１の第三実施例に関する使用図である。
【図３】本考案のベース図である。
【図４】本考案の立体分解図である。
【図５】本考案の組立断面図である。
【図６】本考案の四面加工状態図である。
【図７】本考案のもう一つの実施例の立体組立図である。
【考案を実施するための形態】
【００１１】
当該技術の熟知者が本考案の構造内容及び達成する機能や効果を深く理解する為に、具体的な実施例に図面を参照して次の通り説明を行う。
【００１２】
四面を挟み込む万力台は、図３における本考案のベース図、及び図４及び図５における本考案の立体分解図と組立断面図に示す通りである。前記万力台は、長形状のベース１０、四つの固定口金２０、四つの可動口金３０を備える。前記可動口金３０は、定位体３１、締付体３２、楔形体３３により構成され、ベース１０両端は、工作機械４０の割出し台４１に挟み込まれる。ベース１０は３６０度回転可能で、ベース１０の四平面上には四つの固定口金２０を螺設し、ベース１０の四平面の中央縦方向には四つのＴ形溝１１を設置し、四つのＴ形溝１１は四つのＴ形体１２を滑合させ、四つのＴ形体１２上にはボルト３４を螺着するネジ孔１３を設ける。定位体３１上にはハトメ３５を設けてボルト３４を嵌合させてＴ形体１２のネジ孔１３中に螺着し、ベース１０のＴ形溝１１両側に横方向の噛合部１４を等間隔に配置し、定位体３１底面においてベース１０の噛合部１４に対応する位置にも噛合部３６を設ける故、定位体３１はベース１０上に迅速に無段階定位状態で螺合される。
【００１３】
前記各パーツにより構成される本考案は、四面を挟み込む万力台を提供するものであり、実際操作は、次の通りである。
【００１４】
図６の本考案の四面加工状態図に示す通り、ベース１０の上、下、左、右の四平面の四つの固定口金２０と四つの可動口金３０によって四つの対象物を挟み込むことが可能である。第一平面上の対象物の加工が完了した後、割出し台４１によってベース１０を９０度回転させるだけで続けて第二平面上の対象物を加工することができる。順序に基づき、第三、第四平面上の対象物を加工する。
【００１５】
本考案の提供する四面を挟み込む万力台は、図７の本考案のもう一つの実施例の立体組立図に示す通りである。これはベース１０の各平面上に二つもしくは二つ以上の可動口金３０を装着によって、挟み込む対象物の数量を増加するものである。
【符号の説明】
【００１６】
１  ベース
２  固定口金
３  Ｔ形溝
４  Ｔ形体
５  可動口金
１０  ベース
１１  Ｔ形溝
１２  Ｔ形体
１３  ネジ孔
１４  噛合部
２０  固定口金
３０  可動口金
３１  定位体
３２  締付体
３３  楔形体
３４  ボルト
３５  ハトメ
３６  噛合部
４０  工作機械
４１  割出し台
【図１】
0003150882.tif 000003
【図２】
0003150882.tif 000004
【図３】
0003150882.tif 000005
【図４】
0003150882.tif 000006
【図５】
0003150882.tif 000007
【図６】
0003150882.tif 000008
【図７】
0003150882.tif 000009